(57)【要約】【課題】  セキュリティレベルの高いデータ送受信処理技術を提供する。【解決手段】  携帯端末装置であって、前記携帯端末装置とは異なる他の携帯端末装置と無線通信を行う無線通信部と、ユーザーの指紋を読み取る指紋検出部と、制御部とを備え、前記制御部は、通信情報を作成し、前記通信情報を前記他の携帯端末装置に送信し、前記指紋検出部において前記ユーザーの第１の指紋情報を検出し、前記通信情報を受信した前記他の携帯端末装置から、該他の携帯端末装置において検出した前記ユーザーの第２の指紋情報を受信し、前記第１の指紋情報と前記第２の指紋情報とが一致した場合には、前記無線通信部を介して前記他の携帯端末装置へ情報を送信する制御を行う。【選択図】  図６
2013157969.tif 000002
【特許請求の範囲】
【請求項１】
携帯端末装置であって、
前記携帯端末装置とは異なる他の携帯端末装置と無線通信を行う無線通信部と、
ユーザーの指紋を読み取る指紋検出部と、
制御部とを備え、
前記制御部は、
通信情報を作成し、
前記通信情報を前記他の携帯端末装置に送信し、
前記指紋検出部において前記ユーザーの第１の指紋情報を検出し、
前記通信情報を受信した前記他の携帯端末装置から、該他の携帯端末装置において検出した前記ユーザーの第２の指紋情報を受信し、
前記第１の指紋情報と前記第２の指紋情報とが一致した場合には、前記無線通信部を介して前記他の携帯端末装置へ情報を送信する制御を行う
ことを特徴とする携帯端末装置。
【請求項２】
請求項１に記載の携帯端末装置であって、
前記通信情報は、作成する度に異ならせる
ことを特徴とする携帯端末装置。
【請求項３】
請求項１または請求項２に記載の携帯端末装置であって、
前記通信情報は、
前記携帯端末装置と前記他の携帯端末装置との間で通信リンクが確立されていることをユーザーに示す情報である
ことを特徴とする携帯端末装置。
【請求項４】
携帯端末装置であって、
前記携帯端末装置とは異なる他の携帯端末装置と無線通信を行う無線通信部と、
表示部と、
ユーザーの指紋を読み取る指紋検出部と、
制御部とを備え、
前記制御部は、
前記無線通信部を介して前記他の携帯端末装置から通信情報を受信して、前記表示部に表示し、
前記指紋検出部において前記ユーザーの第１の指紋情報を検出し、前記無線通信部を介して該第１の指紋情報を前記他の携帯端末装置へ送信し、
前記他の携帯端末装置において検出した第２の指紋情報と、前記第１の指紋情報とが一致した場合には、前記無線通信部を介して前記他の携帯端末装置から情報を受信する制御を行う
ことを特徴とする携帯端末装置。
【請求項５】
第１の携帯端末装置と第２の携帯端末装置とを含むデータ送受信システムであって、
前記第１の携帯端末装置は、
通信情報を作成し、
前記通信情報を無線通信部を介して前記第２の携帯端末装置に送信し、
指紋検出部においてユーザーの第１の指紋情報を検出し、
前記第２の携帯端末装置は、
無線通信部を介して前記第１の携帯端末装置から前記通信情報を受信し、
受信した前記通信情報を表示部に表示し、
指紋検出部において前記ユーザーの第２の指紋情報を検出し、
検出した該第２の指紋情報を前記第１の携帯端末装置へ送信し、
前記第１の携帯端末装置は、
前記第２の携帯端末装置が送信した前記第２の指紋情報を受信し、
前記第１の指紋情報と前記第２の指紋情報とが一致した場合には、前記第２の携帯端末装置へ情報を送信し、
前記第２の携帯端末装置は、
前記第１の携帯端末装置が送信した情報を受信する
ことを特徴とするデータ送受信システム。
【請求項６】
請求項５に記載のデータ送受信システムであって、
前記第１の携帯端末装置は、
前記通信情報を、作成する度に異ならせる
ことを特徴とするデータ送受信システム。
【請求項７】
請求項５または請求項６に記載のデータ送受信システムであって、
前記通信情報は、
前記第１の携帯端末装置と前記第２の携帯端末装置との間で通信リンクが確立されていることをユーザーに示す情報である
ことを特徴とするデータ送受信システム。
【発明の詳細な説明】
【技術分野】
【０００１】
本発明は、携帯端末装置及びデータ送受信システムに関する。
【背景技術】
【０００２】
本技術分野の背景技術として、特開２００４−１５５５８号公報（特許文献１）がある。この公報には、「複数台の携帯端末装置で無線通信を行う場合に、第１の携帯端末装置で、所定の接続操作が行われた場合に、送信可能な距離を短距離に制限した上で、無線通信の接続対象となる機器を発見するための問い合わせメッセージを無線送信し、第２の携帯端末装置で、所定の待ち受け操作が行われた場合に、問い合わせメッセージを受信させて、その受信した問い合わせメッセージに対する応答メッセージを無線送信し、第１の携帯端末装置は、応答メッセージを受信した場合に、第２の携帯端末装置との間で接続処理を行うようにした。」と記載されている。
【先行技術文献】
【特許文献】
【０００３】
【特許文献１】特開２００４−１５５５８号公報
【発明の概要】
【発明が解決しようとする課題】
【０００４】
上記特許文献１に記載においては、第１の携帯端末装置は、送信可能な距離を短距離に制限した上で、無線通信の接続対象となる機器を発見するための問い合わせメッセージを無線送信し、この問い合わせメッセージに対応して応答メッセージを送信した携帯端末装置を第２の携帯端末装置と設定している。このとき、意図しない第３者の携帯端末装置も、問い合わせメッセージを受信し、応答メッセージを第１の携帯端末装置に送信することが可能である。この応答メッセージを受信した第１の携帯端末装置は、意図しない第３者の携帯端末装置を第２の携帯端末装置に設定するため、意図しない第３者の携帯端末装置に所定のデータを誤送信してしまう可能性がある。
【０００５】
そこで本発明は、セキュリティレベルの高いデータ送受信処理技術を提供することを目的とする。
【課題を解決するための手段】
【０００６】
上記課題を解決するために、例えば特許請求の範囲に記載の構成を採用する。
本願は上記課題を解決する手段を複数含んでいるが、その一例を挙げるならば、「携帯端末装置であって、前記携帯端末装置とは異なる他の携帯端末装置と無線通信を行う無線通信部と、ユーザーの指紋を読み取る指紋検出部と、制御部とを備え、前記制御部は、通信情報を作成し、前記通信情報を前記他の携帯端末装置に送信し、前記指紋検出部において前記ユーザーの第１の指紋情報を検出し、前記通信情報を受信した前記他の携帯端末装置から、該他の携帯端末装置において検出した前記ユーザーの第２の指紋情報を受信し、前記第１の指紋情報と前記第２の指紋情報とが一致した場合には、前記無線通信部を介して前記他の携帯端末装置へ情報を送信する制御を行うこと」を特徴とする。
【発明の効果】
【０００７】
本発明によれば、セキュリティレベルの高いデータ送受信処理技術を提供することができる。
【０００８】
上記した以外の課題、構成及び効果は、以下の実施形態の説明により明らかにされる。
【図面の簡単な説明】
【０００９】
【図１】実施例１のデータ送受信システムの構成及び通信システムの概要の一例を示した図である。
【図２】実施例１のデータ送受信システムに用いられる携帯端末装置の外観形状の一例を示した図である。
【図３】実施例１の携帯端末装置のブロック構成図の一例である。
【図４】実施例１の第１携帯端末装置の動作を示すフローチャートの一例である。
【図５】実施例１の第２携帯端末装置の動作を示すフローチャートの一例である。
【図６】第１携帯端末装置及び第２携帯端末装置の表示の一例を示す図である。
【発明を実施するための形態】
【００１０】
以下、本発明の実施形態の例を、図面を用いて説明する。
【実施例１】
【００１１】
図１は、本実施例におけるデータ送受信システムの構成、及び、外部との通信システムの概要図である。図１において、データ送受信システム１３０は、複数の携帯端末装置（第１携帯端末装置１００ａ、第２携帯端末装置１００ｂ、第３携帯端末装置１００ｃ）から構成され、それぞれの携帯端末装置１００の間で所定のデータ（以下、通信データという）を送受信可能なものである。
【００１２】
ここで説明の便宜上、以下、第１携帯端末装置１００ａが有するものについては符号にａを付し、第２携帯端末装置１００ｂが有するものについては符号にｂを付し、第３携帯端末装置１００ｃが有するものについては符号にｃを付して区別する。また、第１携帯端末装置１００ａの操作者をユーザーａ（図示せず）とし、第２携帯端末装置１００ｂの操作者をユーザーｂ（図示せず）とし、第３携帯端末装置１００ｃの操作者をユーザーｃ（図示せず）する。なお、図１は、携帯端末装置１００が３台の場合で説明しているが、これに限定されるものではない。
【００１３】
上記した携帯端末装置１００の間で送受信する通信データは、氏名、電話番号、メールアドレス、住所などのアドレスデータ、写真データ、動画データなどであり、ユーザーが自在に選択可能となっている。通信データの送受信は、ＩＥＥＥ８０２．１１ａ／ｂ／ｎなどの無線ＬＡＮ（Local Area Network）、Ｂｌｕｅｔｏｏｔｈ（登録商標）、赤外線通信などの通信方式により、２台の携帯端末装置１００の間で直接的な通信にて行われる。
【００１４】
また、各携帯端末装置１００は、基地局２００とＷ−ＣＤＭＡ（Wideband Code Division Multiple Access）やＧＳＭ（登録商標）（Global System for Mobile Communications）などの通信方式にて無線通信を行うこともできる。さらに、アクセスポイント２０２と無線ＬＡＮなどによる無線通信を行うこともできる。
【００１５】
基地局２００やアクセスポイント２０２は、インターネット２０３に接続されており、携帯端末装置１００は、基地局２００あるいはアクセスポイント２０２を介して、Ｗｅｂページの閲覧、メール送受信、データサーバー２０１からのプログラムやデータのダウンロード、データサーバー２０１に対してデータをアップロードすることが可能となっている。もちろん、携帯端末装置間での通話も可能である。
【００１６】
なお図１の例では、アクセスポイント２０２が直接インターネット２０３に接続されているが、これに限定されず、例えばアクセスポイント２０２が、一般の家庭内に設置されている場合には、アクセスポイント２０２はホームゲートウェイ（図示せず）などを介してインターネット２０３に接続される。
【００１７】
図２は、本実施例におけるデータ送受信システムに用いられる携帯端末装置１００の外観形状の一例を示した図である。本実施例においては、携帯端末装置１００がスマートフォンの場合について説明する。
【００１８】
携帯端末装置１００は、前面に液晶パネル、有機ＥＬパネルなどの表示部１１３を備えており、当該表示部１１３には、文字、図形、写真、動画など映像を表示する。
【００１９】
またその表示部１１３の表示面にはタッチパネルなどの操作入力部１１５を有している。操作入力部１１５は、指先やタッチペンなどで表示面をタッチすることで、その位置を検出し、制御部１０３に信号を送るものである。例えば、操作コマンド一覧などのメニューを表示部１１３に表示させて、当該メニューから、ユーザーが操作コマンド部分をタッチすると、その位置を検出することで各種の操作コマンドを入力する。
【００２０】
さらに、携帯端末装置１００は、指紋検出部１１７を備えている。指紋検出部１１７は、ユーザーが指紋検出部１１７に指を押し当てると、指の接触を検知し、押し当てられた指の画像（指紋）の読取りを開始するものである。 
また、携帯端末装置１００は、音声を入力するマイク１１０、音声を出力するスピーカ１１２等を有しており、これにより、他の携帯端末装置と通話を行うことができる。
【００２１】
図３は、本実施例における携帯端末装置１００のブロック構成図の一例である。
図３において、携帯端末装置１００は、基地局通信部１０１、無線通信部１０２、制御部１０３、メモリ１０４、ストレージ１０５、ＧＰＳ受信部１０６、地磁気センサ１０７、加速度センサ１０８、ジャイロセンサ１０９、マイク１１０、音声制御部１１１、スピーカ１１２、表示部１１３、表示制御部１１４、操作入力部１１５、映像入力部１１６、指紋検出部１１７、入出力ＩＦ１１８を有している。また、それぞれの構成部はシステムバス１２０にて相互に接続されている。
【００２２】
基地局通信部１０１は、基地局２００と無線通信を行う通信インターフェイスである。通信方式は上記したようにＷ−ＣＤＡＭやＧＳＭなどである。
無線通信部１０２は、アクセスポイント２０２や、他の携帯端末装置と無線通信を行う通信インターフェイスであり、その通信方式は、上記したように、無線ＬＡＮ、Ｂｌｕｅｔｏｏｔｈ（登録商標）、赤外線通信などである。
【００２３】
メモリ１０４は、フラッシュメモリなどであり、携帯端末装置１００に各種の動作をさせるプログラムや、各種データが格納されている。メモリ１０４に格納されたプログラムやデータは、データサーバー２０１からダウンロードすることにより、随時更新・追加することが可能である。
【００２４】
制御部１０３は、メモリ１０４に格納したプログラムを実行することによって、各種の動作、処理を行っている。
ストレージ１０５は、ハードディスク、ＳＳＤ（Solid State Drive）等の記録装置、または、ＩＣカード、ＳＤカード、ＤＶＤ等の記録媒体である。
【００２５】
ＧＰＳ受信部１０６は、上空にあるＧＰＳ衛星からの信号を受信するものであり、これにより、携帯端末装置１００の現在位置を検出することができる。
地磁気センサ１０７は、携帯端末装置１００の向いている方向を検出するセンサである。
加速度センサ１０８は、携帯端末装置１００の加速度を検出するセンサであり、ジャイロセンサ１０９は、携帯端末装置１００の角速度を検出するセンサである。これらにより、携帯端末装置１００の傾き、動きを詳細に検出することができる。
【００２６】
マイク１１０は、外部の音声を入力するものであり、スピーカ１１２は、外部に対して音声を出力するものである。これらの音声は音声制御部１１１にて制御される。
【００２７】
表示部１１３は上記したように液晶パネルや有機ＥＬなどであり、画像処理部１１４にて処理された画像信号（文字、図形、写真、動画など）を表示面に表示する。
また、その表示面には、タッチパネルである操作入力部１１５を有する。操作入力部１１５は、各種の操作コマンドを受け付けるものである。
【００２８】
映像入力部１１６は、例えばカメラであり、静止画像、動画像を撮影することができる。撮影した画像データは、メモリ１０４あるいはストレージ１０５に保存される。
【００２９】
指紋検出部１１７は、上記したように、押し当てた指の画像（指紋）を読み取るものであり、読み取った指紋は指紋情報としてメモリ１０４に保存される。
【００３０】
ここで、本実施例におけるデータ送受信システム１３０では、通信データの送信側を第１携帯端末装置１００ａとし、受信側を第２携帯端末装置１００ｂとして説明する。このとき、第３携帯端末装置１００ｃには通信データを送信しないようにするものとする。
【００３１】
図４、図５は、それぞれ送信側、受信側の携帯端末装置１００の動作を示すフローチャートの一例である。
【００３２】
送信側である第１携帯端末装置１００ａにおいては、図４に示すように、テータ送信モードに設定する（図４−Ｓ４０１）。これは、ユーザーａが、表示部１１３ａに表示されたメニューから、操作入力部１１５ａを介して操作し選択することで設定される。
【００３３】
次に、操作入力部１１５ａを操作し、通信データを選択する（図４−Ｓ４０２）。これは、メモリ１０４やストレージ１０５に保存されているアドレスデータ、データフォルダなどのデータから、操作入力部１１５ａを介してカーソル操作を行うことにより選択する。
【００３４】
通信データを選択すると、無線通信部１０２ａより問合せ信号を送信する（図４−Ｓ４０３）。問合せ信号は、あらかじめメモリ１０４ａに保存されているものであり、通信リンク上で携帯端末装置１００ａを特定するための第１の通信ＩＤ（例えば、ＭＡＣアドレスなど）を含む。また、問合せ信号は送信相手を限定せずに送信する。
【００３５】
問合せ信号を送信した後は、回答信号の受信を監視する（図４−Ｓ４０４）。さらに時間の計測を開始する（図４−Ｓ４２１）。時間を計測した結果、所定時間内であれば、回答信号の受信を監視するステップ（図４−Ｓ４０４）に戻る。所定時間経過しても回答信号を受信できなかった場合は、本処理を終了する。なお、あらかじめ通信データを選択しておき、通信データを選択するステップ（図４−Ｓ４０２）を省略してもよい。
【００３６】
一方、受信側である第２携帯端末装置１００ｂにおいては、図５に示すように、データ受信モードに設定する（図５−Ｓ５０１）。これは、ユーザーｂが、表示部１１３ｂに表示されたメニューから、操作入力部１１５ｂを介して操作し選択することで設定される。
【００３７】
第２携帯端末装置１００ｂは、データ受信モードになると、他の携帯端末装置から送信される問合せ信号を監視する（図５−Ｓ５０２）。さらに、時間の計測を開始する（図５−Ｓ５２１）。時間を計測した結果、所定時間内であれば、問合せ信号の受信を監視するステップ（図５−Ｓ５０２）に戻る。所定時間経過しても、問合せ信号を受信できなかった場合は、本処理を終了する。
【００３８】
第２携帯端末装置１００ｂにおいて、問合せ信号を受信した場合（図５−Ｓ５０２：Ｙｅｓ）は、受信した問合せ信号から通信ＩＤ（ここでは第１の通信ＩＤ）を抽出する。抽出した第１の通信ＩＤは、メモリ１０４ｂのユーザーからアクセス不可能な領域に保存するとよい。この抽出した第１の通信ＩＤによって、受信した問合せ信号が第１携帯端末装置１００ａから送信されたものであることを特定することができる。
【００３９】
次に、第２携帯端末装置１００ｂは、送信相手を第１携帯端末装置１００ａに限定して、回答信号を送信する（図５−Ｓ５０３）。回答信号には通信リンク上で第２携帯端末装置１００ｂを特定するための第２の通信ＩＤ（例えば、ＭＡＣアドレスなど）を含めて送信する。
【００４０】
回答信号を送信した後は、通信情報の受信を監視する（図５−Ｓ５０４）。さらに時間の計測を開始する（図５−Ｓ５２２）。時間を計測した結果、所定時間内であれば、通信情報の受信を監視するステップ（図５−Ｓ５０４）に戻る。所定時間経過しても通信情報を受信できなかった場合は、本処理を終了させる。
【００４１】
ここで、第３携帯端末装置１００ｃにおいても、図５に示すようにデータ受信モードに設定されている場合がある（図５−Ｓ５０１）。この場合、第３携帯端末装置１００ｃは、第１携帯端末装置１００ａの問合せ信号を受信する（図５−Ｓ５０２）ので、第３の通信ＩＤを含めた回答信号を第１携帯端末装置１００ａに送信する（図５−Ｓ５０３）。
【００４２】
図４において、第１携帯端末装置１００ａでは、回答信号を受信する（図４−Ｓ４０４：Ｙｅｓ）と、回答信号から通信ＩＤ（ここでは、第２の通信ＩＤと第３通信ＩＤ）を抽出する。これにより、回答信号を送信した装置が、第２携帯端末装置１００ｂと第３携帯端末装置１００ｃであることを特定することができる。また、抽出した通信ＩＤは、メモリ１０４ａのユーザーからアクセス不可能な領域に保存するとよい。
【００４３】
以上により、お互いに通信相手の通信ＩＤが判明しているため、第１携帯端末装置１００ａと第２携帯端末装置１００ｂ、第１携帯端末装置１００ａと第３携帯端末装置１００ｃとの間で通信リンクが構築される。
【００４４】
図４において、第１携帯端末装置１００ａでは、回答信号を受信する（図４−Ｓ４０４：Ｙｅｓ）と、通信情報を作成（図４−Ｓ４０５）し、その通信情報を表示部１１３ａに表示する（図４−Ｓ４０６）。なお、通信情報とは、指紋情報を誤送信することを防ぐための情報 であり、例えば、記号や文字 、数字等をランダムに組み合わせて作成し、作成する度に異ならせるようにする。もちろん、記号や文字のみ、あるいは数字のみの組み合わせでも良い。本実施例においては、通信情報をアルファベットと数字の組合せとし、ユーザーに表示する情報として説明するが、これに限定するものではない。例えば、送信側の携帯端末装置１００と、受信側の携帯端末装置１００との間で、通信リンクが正しく確立されていることや、通信相手が正しいこと等をユーザーに示すことができれば良く、これらのことをユーザーが確認できる情報であればよい。
【００４５】
そして、第１携帯端末装置１００ａは、第１の通信ＩＤを用いて、回答信号を送信した携帯端末装置（第２携帯端末装置１００ｂと第３携帯端末装置１００ｃ）に、通信情報を送信する（図４−Ｓ４０７）。この通信情報は、記号や数字のランダムな組み合わせであり、その時点のみ使用する組み合わせなので、第３携帯端末装置１００ｃのユーザーｃに知られても問題になることはない。
【００４６】
第２携帯端末装置１００ｂにおいては、図５に示すように通信情報を受信する（図５−Ｓ５０４）と、その通信情報を表示部１１３ｂに表示する（図５−Ｓ５０５）。
【００４７】
同様に第３携帯端末装置１００ｃにおいても、通信情報を受信する（図５−Ｓ５０４）と、受信した通信情報を表示部１００ｃに表示する（図５−Ｓ５０５）。
【００４８】
ここで、図６は携帯端末装置１００の通信処理時の表示例を示す図である。 
第１携帯端末装置１００ａの表示部１１３ａには、現在のモード６０１ａ（ここでは、データ送信モード）と、送信した通信情報６０２ａ、メッセージ６０３ａが表示されている。メッセージ６０３ａは、例えば「指紋検出部にタッチして、指紋読取りを開始してください。」等とする。
また、第２携帯端末装置１００ｂの表示部１１３ｂには、現在のモード６０１ｂ（ここでは、データ受信モード）と、受信した通信情報６０２ｂ、メッセージ６０３ｂが表示されている。
第３携帯端末装置１００ｃの表示部１１３ｃにも、現在のモード６０１ｃ（ここでは、データ受信モード）と、受信した通信情報６０２ｃ、メッセージ６０３ｃが表示されている。メッセージ６０３ｂ、メッセージ６０３ｃは、例えば「相手端末が正しい場合は、指紋検出部にタッチして、指紋読取りを開始してください。」等とする。
【００４９】
ユーザーａは、送信側である第１携帯端末装置１００ａの通信情報６０２ａと受信側である第２携帯端末装置１００ｂの通信情報６０２ｂとを見て、同じ表示であることを確認し、図６に示すように、第１携帯端末装置１００ａの指紋検出部１１７ａと、第２携帯端末装置１００ｂの指紋検出部１１７ｂとに指３００ａを接触させる。一方、第３携帯端末装置１００ｃは、通信データの送信先として希望する端末ではないので、ユーザーａは指紋検出部１１７ｃには指３００ａを接触させないようにする。
【００５０】
第１携帯端末装置１００ａに表示された通信情報６０２ａと、第２携帯端末装置１００ｂに表示された通信情報６０２ｂとが異なる場合は、終了ボタン６０４ｂにタッチして終了処理を選択する。これは、第２携帯端末装置１００ｂが、第１携帯端末装置１００ａ以外の携帯端末装置（図示せず）と通信リンクが確立されている場合だからである。 
図４において、送信側の第１携帯端末装置１００ａでは、通信情報を送信（図４−Ｓ４０７）した後は、指紋検出部１１７ａにおいて指紋読取りの開始を監視する（図４−Ｓ４０８）。さらに時間の計測を開始する（図４−Ｓ４２２）。時間を計測した結果、所定時間内であれば、指紋読取りの開始を監視するステップ（図４−Ｓ４０８）に戻る。所定時間経過しても指紋読取りが行われない場合は、本処理を終了する。
なお、指紋読み取りは、指紋検出部１１７ａにおいて、指３００ａの接触を検出すると開始する。指紋検出部１１７ａは、指３００ａの接触を検出すると、接触している指３００ａの画像（指紋）を読取る。制御部１０３ａは、読み取った画像（指紋）データより指紋の特徴を抽出し指紋情報（以下、第１の指紋情報とする）としてメモリ１０４ａに保存する（図４−Ｓ４０９）。
【００５１】
図５において、受信側の第２携帯端末装置１００ｂでは、通信情報を表示（図５−Ｓ５０５）した後、終了処理の選択を監視する（図５−Ｓ５０６）。終了処理が選択された場合は、本処理を終了する。
【００５２】
終了処理が選択されない場合（図５−Ｓ５０６：Ｎｏ）には、指紋検出部１１７ｂにおいて指紋読取りの開始を監視する（図５−Ｓ５０７）。さらに、時間の計測を開始する（図５−Ｓ５２３）。時間を計測した結果、所定時間内であれば、終了処理の選択を監視するステップ（図５−Ｓ５０６）に戻る。所定時間経過しても指紋検出部１１７ｂにおいて指紋読み取りが開始されない場合は、本処理を終了する。
なお、指紋読み取りは、指紋検出部１１７ｂにおいて、指３００ａの接触を検出すると開始する。指紋検出部１１７ｂは、指３００ａの接触を検出すると、接触している指３００ａの画像（指紋）を読取る。制御部１０３ａは、読み取った画像（指紋）データより指紋の特徴を抽出し指紋情報（以下、第２の指紋情報とする）としてメモリ１０４ｂに保存し（図５−Ｓ５０８）、第１携帯端末装置１００ａに第２の指紋情報を送信する（図５−Ｓ５０９）。
【００５３】
第２携帯端末装置１００ｂでは、第２の指紋情報送信後は、通信データの受信を監視する（図５−Ｓ５１０）。さらに、時間の計測を開始する（図５−Ｓ５２４）。時間を計測した結果、所定時間内であれば、通信データの受信を監視するステップ（図５−Ｓ５１０）に戻る。所定時間経過しても、通信データを受信できなかった場合は、メモリ１０４ｂに保存した第２の指紋情報を削除し（図５−Ｓ５１２）、本処理を終了させる。
【００５４】
図４において、第１携帯端末装置１００ａでは、第１の指紋情報を保存（図４−Ｓ４０９）した後、第２の指紋情報の受信を監視する（図４−Ｓ４１０）。さらに、時間の計測を開始する（図４−Ｓ４２３）。時間を計測した結果、所定時間内であれば、第２の指紋情報の受信を監視するステップ（図４−Ｓ４１０）に戻る。所定時間経過しても第２の指紋情報を受信できなかった場合は、メモリ１０４ａより第１の指紋情報を削除し（図４−Ｓ４１４）、本処理を終了する。
【００５５】
図４において、第１携帯端末装置１００ａでは、第２の指紋情報を受信する（図４−Ｓ４１０：Ｙｅｓ）と、第２の指紋情報をメモリ１０４ａに一時保存する（図４−Ｓ４１１）。
【００５６】
制御部１０３ａは、メモリ１０４ａに保存されている第１の指紋情報と第２の指紋情報とを照合する（図４−Ｓ４１２）。第１の指紋情報と第２の指紋情報とが一致した場合（図４−Ｓ４１２：Ｙｅｓ）は、通信データを第２携帯端末装置１００ｂに送信する（図４−Ｓ４１３）。送信後は、メモリ１０４ａに保存されている第１の指紋情報と第２の指紋情報とを削除し（図４−Ｓ４１４）、本処理を終了する。
【００５７】
また、第１の指紋情報と第２の指紋情報とが一致しなかった場合（図４−Ｓ４１２：Ｎｏ）は、通信データは送信せずに、メモリ１０４ａに保存されている第１の指紋情報と第２の指紋情報を削除し（図４−Ｓ４１４）、本処理を終了する。
【００５８】
図５において、第２携帯端末装置１００ｂでは、通信データを受信する（図５−Ｓ５１０：Ｙｅｓ）と、その通信データをメモリ１０４ｂあるいはストレージ１０５ｂに保存する（図５−Ｓ５１１）。保存後は、メモリ１０４ｂに保存されている第２の指紋情報を削除し（図５−Ｓ５１２）、本処理を終了させる。
【００５９】
一方、第３携帯端末装置１００ｃにおいては、通信情報を表示（図５−Ｓ５０５）した後、終了処理が選択された場合（図５−Ｓ５０６：Ｙｅｓ）は、本処理は終了される。終了処理の選択の監視のステップ（図５−Ｓ５０６）にて、終了処理の選択が検出されなかった場合においても、指紋読取りの開始を監視するステップ（図５−Ｓ５０７）で、指紋読取りが開始されないため、時間を計測するステップ（図５−Ｓ５２３）を経て、本処理は終了する。
【００６０】
なお、以上では第３携帯端末装置１００ｃがデータ受信モードに設定されていた場合について説明したが、第３携帯端末装置１００ｃが例えば通常のモードのように、データ受信モードでない場合は、第１携帯端末装置１００ａとはそもそも通信リンクが構築されないため、第１携帯端末装置１００ａは、通信データを第３携帯端末装置１００ｃに誤送信することはない。
【００６１】
また、第２携帯端末装置１００ｂ、第３携帯端末装置１００ｃの他にデータ受信モードに設定された携帯端末装置が存在した場合においても、当該携帯端末装置においては第３携帯端末装置１００ｃと同様な動作を行うため、第１携帯端末装置１００ａがその携帯端末装置に通信データを誤送信することはない。
【００６２】
以上により、第１携帯端末装置１００ａにおいては、第１の指紋情報と第２の指紋情報とを照合し、一致した場合にのみ通信データを送信するため、意図しない第３者の携帯端末装置に通信データを誤送信することはない。
【００６３】
また、送信側の第１携帯端末装置１００ａと受信側の第２携帯端末装置１００ｂにおいて、それぞれの表示部１１３ａ、１１３ｂに通信情報６０２ａ、６０２ｂが表示されるため、通信リンクが確立されている端末が第１携帯端末装置１００ａと第２携帯端末装置１００ｂであることをユーザーが容易に確認できる。よって、指紋検出部１１７ｂにて読み取った指紋情報を、第３者の携帯端末装置に誤送信することを防ぐことができる。
【００６４】
また、通信情報はその都度組み合わせを変更するので、意図しない第３者の携帯端末装置に送信されても、問題はない。
【００６５】
よって、本実施例によれば、意図しない第３者へのデータ誤送信を防止し、セキュリティレベルの高いデータ送受信処理技術を提供することができる。
【００６６】
なお、上記実施例は、スマートフォンを例にして説明したが、これに限定されるものではなく、携帯電話、ＰＤＡ（Personal Digital Assistants）やノート型ＰＣ（Personal Computer）、タブレット型ＰＣなどでもよい。また、第１携帯端末装置がスマートフォン、第２携帯端末装置が携帯電話などのように、第１携帯端末装置と第２携帯端末装置とが異なる種類の端末であってもよい。
【００６７】
また、上記実施例では、ユーザーａの指３００ａを指紋検出部１１７ａ、１１７ｂより読み取って第１、第２の指紋情報としているが、これに限定されるものではない。指紋検出部１１７ａ、１１７ｂに接触させる指が同一であればよいので、例えば、ユーザーｂの指３００ｂ（図示せず）を指紋検出部１１７ａ、１１７ｂより読み取って第１、第２の指紋情報としてもよい。
【００６８】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。 
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。
【００６９】
各機能を実現するプログラム、テーブル、ファイル等の情報は、メモリ１０４やストレージ１０５に置くことができる。 
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００７０】
１００  携帯端末装置
１０１  基地局通信部
１０２  無線通信部
１０３  制御部
１０４  メモリ
１０５  ストレージ
１１３  表示部
１１５  操作入力部
１１７  指紋検出部
１２０  システムバス
２００  基地局
２０２  アクセスポイント
２０３  インターネット
【図１】
2013157969.tif 000003
【図２】
2013157969.tif 000004
【図３】
2013157969.tif 000005
【図４】
2013157969.tif 000006
【図５】
2013157969.tif 000007
【図６】
2013157969.tif 000008